(57)【要約】      （修正有）【課題】導電端子と回路基板の接点を緊密に導接し、組立てをより簡単かつ迅速にし、生産効率を高めることができる組合せ式ＵＳＢポータブルディスクを提供する。【解決手段】組合せ式ＵＳＢポータブルディスクは、前後端は貫通開放状を呈し、しかも定位部１２を設置する中空ハウジング１、複数の導電端子５を結合し、定位凹部２２を設置する絶縁台体２、絶縁台体２の定位凹部２２に組み合せて定位する回路基板３を備え、組合せ時には、先ず、絶縁台体２を中空ハウジング１後端から挿入し、続いて、回路基板３を挿入し、これにより絶縁台体２の導電端子５結合部５１は、回路基板３の接点３１に緊密に接続し、上記の組合せ方式により、溶接を用いなくとも、導電端子５と回路基板３の接点３１を緊密に導接できるため、組立てをより簡単かつ迅速にし、生産効率を高めることができる。【選択図】図１
0003186107.tif 000002
【実用新案登録請求の範囲】
【請求項１】
組合せ式USBポータブルディスクは、中空ハウジング、絶縁台体、回路基板を備え、
前記中空ハウジングの前後端は、貫通開放状を呈し、
前記絶縁台体は、前記中空ハウジングの内部前端に組み合わせ、複数の導電端子を結合し、前記絶縁台体の後部は、定位ブロックで、前記導電端子の後端は、前記定位ブロックの後端から延伸して、結合部を形成し、前記定位ブロックの後端には、定位凹部を設置し、
前記回路基板は、前記中空ハウジング内部の後端に組合せ、前記回路基板の前端は、前記絶縁台体の定位凹部に組み合わせて定位し、しかも前記回路基板の前端には、前記導電端子と対応する数個の接点を備え、前記各接点と前記導電端子の結合部とは、相互に接続することを特徴とする組合せ式USBポータブルディスク。
【請求項２】
前記中空ハウジングの前部は、比較的狭い挿入接続部で、後部は比較的広く、かつ後部前端に定位部を形成し、
前記絶縁台体の前部を、前記中空ハウジングの挿入接続部に組み合わせ、
前記絶縁台体の定位ブロックは、前記中空ハウジングの後部に組合せ、前記定位ブロックは、前記中空ハウジングの定位部に定位することを特徴とする請求項１に記載の組合せ式USBポータブルディスク。
【請求項３】
前記絶縁台体の両側と上下側は、前記中空ハウジングの内壁面に密着し、しかも前記回路基板の両側及び底面は、前記中空ハウジングの内壁面に密着することを特徴とする請求項１に記載の組合せ式USBポータブルディスク。
【請求項４】
前記導電端子結合部の底部は、前記回路基板と未組合せの自然状態下で、その高度位置は、前記接点より低いことを特徴とする請求項１に記載の組合せ式USBポータブルディスク。
【請求項５】
前記中空ハウジングの後端は、湾曲して、停止片を延伸し、
前記停止片は、前記回路基板に接触可能であることを特徴とする請求項１に記載の組合せ式USBポータブルディスク。
【請求項６】
前記中空ハウジング後端にはさらに、後挿入部品を設置し、
前記後挿入部品は、端部と固定部を備え、
前記端部は、前記回路基板の後端に密着し、前記中空ハウジングの後端を密封し、
前記固定部は、前記回路基板と前記中空ハウジングの間の空間に挿入し、しかも前記固定部は、前記中空ハウジングの内壁面と前記回路基板の頂点面に密着し、
前記中空ハウジングの後部には、固定点を設置し、前記後挿入部品の固定部には、前記固定点と結合して固定する固定点を設置し、前記固定部前端には、斜面を形成することを特徴とする請求項１に記載の組合せ式USBポータブルディスク。
【考案の詳細な説明】
【技術分野】
【０００１】
本考案はUSBポータブルディスクに関し、特に組合せ式USBポータブルディスクに関する。
【背景技術】
【０００２】
USB(Universal Serial Bus)コネクターは、各タイプの電子情報製品とモバイル通信装置に幅広く応用されるコネクターである。例えば、広く普及しているポータブルディスクなどのストレージデバイスは、USBインターフェースである。製品がどんどんコンパクトになるに従い、USBコネクタのコネクタ型式でも、標準A型、B型コネクタから、Mini-USB、Micro-USBが続々と開発されている。ポータブルディスク上のUSBコネクタは、多くが標準A型コネクタである。しかし近年、携帯電話端末或いはタブレットPCなどのモバイル設備の多くがMicro B型を採用している。そのため、ポータブルディスクを、携帯電話端末或いはタブレットPCに直接挿入してメモリの拡充を行うことができないため、ポータブルディスクの標準A型コネクタをMicro B型に換えなければならない。
【０００３】
従来のMicro USBコネクタ構造は通常、プラスチック絶縁台体外を、金属ハウジングで包んで覆い結合する。絶縁台体中には、複数の導電端子を結合する。Micro USBコネクタは、導電端子の末端を、回路基板の接点に溶接し、回路基板に結合し、信号を伝送している。しかし、生産、組立ての工程では、溶接プロセスは、実に面倒で、しかも時間がかかるため、生産効率を高めることができない。
本考案は、従来のUSBコネクタ構造の上記した欠点に鑑みてなされたものである。
【考案の概要】
【考案が解決しようとする課題】
【０００４】
本考案が解決しようとする課題は、組合せ方式により、溶接を用いなくとも、導電端子と回路基板の接点を緊密に導接し、組立てをより簡単かつ迅速にし、生産効率を高めることができる組合せ式USBポータブルディスクを提供することである。
【課題を解決するための手段】
【０００５】
上記課題を解決するため、本考案は下記の組合せ式USBポータブルディスクを提供する。
組合せ式USBポータブルディスクは、中空ハウジング、絶縁台体、回路基板を備え、
該中空ハウジングの前後端は、貫通開放状を呈し、
該絶縁台体は、該中空ハウジングの内部前端に組み合わせ、複数の導電端子を結合し、該絶縁台体の後部は、定位ブロックで、該導電端子の後端は、該定位ブロックの後端から延伸して、結合部を形成し、該定位ブロックの後端には、定位凹部を設置し、
該回路基板は、該中空ハウジング内部の後端に組合せ、該回路基板の前端は、該絶縁台体の定位凹部に組み合わせて定位し、しかも該回路基板の前端には、該導電端子と対応する数個の接点を備え、該各接点と該導電端子の結合部とは、相互に接続し、
組合せ時には、先ず、該絶縁台体を該中空ハウジング後端から挿入し、続いて、該回路基板を挿入し、これにより該絶縁台体の導電端子結合部は、該回路基板の接点に緊密に接続し、
上記の組合せ方式により、溶接を用いなくとも、該導電端子と該回路基板の接点を緊密に導接できるため、組立てをより簡単かつ迅速にし、生産効率を高めることができ、
該中空ハウジングの前部は、比較的狭い挿入接続部で、後部は比較的広く、かつ後部前端に定位部を形成し、
該絶縁台体の前部を、該中空ハウジングの挿入接続部に組み合わせ、
該絶縁台体の定位ブロックは、該中空ハウジングの後部に組合せ、該定位ブロックは、該中空ハウジングの定位部に定位し、
該絶縁台体の両側と上下側は、該中空ハウジングの内壁面に密着し、
該導電端子結合部の底部は、該回路基板と未組合せの自然状態下で、その高度位置は、該接点より低く、
該回路基板の両側及び底面は、該中空ハウジングの内壁面に密着し、
該中空ハウジングの後端は、湾曲して、停止片を延伸し、該停止片は、該回路基板に接触可能で、
該中空ハウジング後端にはさらに、後挿入部品を設置し、
該後挿入部品は、端部と固定部を備え、
該端部は、該回路基板の後端に密着し、該中空ハウジングの後端を密封し、
該固定部は、該回路基板と該中空ハウジングの間の空間に挿入し、
該後挿入部品の固定部は、該中空ハウジングの内壁面と該回路基板の頂点面に密着し、  該中空ハウジングの後端には、固定点を設置し、該後挿入部品の固定部には、該固定点と結合して固定する固定点を設置し、該固定部前端には、斜面を形成する。
【考案の効果】
【０００６】
本考案の組合せ式USBポータブルディスクは、組合せ方式により、溶接を用いなくとも、導電端子と回路基板の接点を緊密に導接し、組立てをより簡単かつ迅速にし、生産効率を高めることができる。
【図面の簡単な説明】
【０００７】
【図１】本考案の部品分解図である。
【図２】本考案の立体組合せ図である。
【図３】本考案の断面模式図である。
【図４】本考案の一部の部品の組合せ模式図である。
【考案を実施するための形態】
【０００８】
以下に図面を参照しながら本考案を実施するための最良の形態について詳細に説明する。
【実施例】
【０００９】
本考案の部品分解図、立体組合せ図、断面模式図、一部の部品の組合せ模式図である図１〜４に示すように、本考案組合せ式USBポータブルディスクは、中空ハウジング１、絶縁台体２、回路基板３を備える。中空ハウジング１の前後端は、貫通開放状を呈し、その前部は比較的狭い挿入接続部１１で、後部は比較的広く、かつ後部前端に定位部１２を形成する。後部には、固定点１３を設置する。
【００１０】
絶縁台体２は、中空ハウジング１の内部前端に組み合わせる。絶縁台体２の前部は、中空ハウジング１の挿入接続部１１に組み合わせる。絶縁台体２の後部は、中空ハウジング１の後部に組み合わせる。絶縁台体２の後部は、前部より幅が広い定位ブロック２１である。これにより、絶縁台体２を中空ハウジング１に組み合わせる時には、中空ハウジング１の定位部１２に定位することができる。絶縁台体２の両側と上下側は、中空ハウジング１の内壁面に密着し、こうして中空ハウジング１中に緊密に組み合わせる。定位ブロック２１の後端には、定位凹部２２を設置する。
【００１１】
絶縁台体２上には、複数の導電端子５を結合する。導電端子５の後端は、定位ブロック２１の後端から延伸して、V字型の結合部５１、90度の角度で屈折する結合部５１、或いは異なる角度に湾曲する結合部を形成する。これにより、回路基板３に連接する。結合部５１は、定位ブロック２１の上端に位置し、定位凹部２２は、定位ブロック２１の下端に位置する。
【００１２】
回路基板３は、中空ハウジング１内部及び絶縁台体２の後端に組合せる。回路基板３の前端は、絶縁台体２の定位凹部２２に組み合わせて定位し、しかも回路基板３の前端頂点面には、導電端子５と対応する数個の接点３１を備える。これら接点３１と導電端子５の結合部５１とは、相互に接続し、電気的に連接を達成し、信号を伝送する。回路基板３の両側及び底面は、中空ハウジング１の内壁面に密着する。導電端子５結合部５１の底部は、回路基板３と未組合せの自然状態下で、その高度位置は、接点３１より低い。そのため、回路基板３を中空ハウジング１に入れ、絶縁台体２に組み合わせる時、回路基板３は、導電端子５の結合部５１を押上げ、導電端子５の結合部５１は、回路基板３の接点に緊密に接続し、確実に導接することができる。
【００１３】
本考案の別種の実施形態(図示なし)の中空ハウジング１の後端は、湾曲して、停止片を延伸する。停止片は、回路基板３に接触可能で、これにより回路基板３は、滑り動きにくくなり、全体的な組立ての利便性を向上させることができる。
【００１４】
さらに、本考案の実施形態では、中空ハウジング１後端には、後挿入部品４を設置する。後挿入部品４は、中空ハウジング１と回路基板３の後端に組合せ、これにより中空ハウジング１の後端を封鎖し、回路基板３と絶縁台体２を、中空ハウジング１中に固定する。後挿入部品４の断面は、概ね逆L字型を呈し、端部４１と固定部４２を備える。端部４１は、回路基板３の後端に密着し、中空ハウジング１の後端を密封する。固定部４２は、回路基板３と中空ハウジング１の間の空間に挿入し、中空ハウジング１の内壁面と回路基板３の頂点面に密着し、回路基板３を固定する。固定部４２の前端には、斜面を形成し、挿入と組立ての便を図る。固定部４２には、２個の固定点４３を設置し、中空ハウジング１の固定点１３と結合して固定する。
【００１５】
上記した構造により、本考案組合せ式USBポータブルディスクを組み立てる時には、先ず、絶縁台体２を、中空ハウジング１後端から挿入する。続いて、回路基板３を挿入し、最後に、後挿入部品４を挿入し、前方へと押し定位させ、組立てを完成させる。回路基板３を中空ハウジング１に挿入する時には、その前端は、定位凹部２２に定位し、絶縁台体２を押し、中空ハウジング１前端へと組み立てる。これにより、絶縁台体２の前部を、中空ハウジング１の挿入接続部１１に組み合わせる。定位ブロック２１は、定位部１２に定位する。最後には、挿入する後挿入部品４により、回路基板３の上下側を固定し、及び前後端を固定する。しかも、導電端子５の結合部５１の底部は、回路基板３と未組合せの自然状態下では、その高度位置は、接点３１より低い。よって、回路基板３を挿入する時、絶縁台体２の導電端子５結合部５１は、回路基板３の接点３１に緊密に接続し、確実に導接して、良好な信号伝送を達成する。
【００１６】
上記したように、本考案組合せ式USBポータブルディスクは、組立てが簡単で、溶接を用いなくとも、導電端子５結合部５１と回路基板３の接点３１を緊密に導接できるため、組立てをより簡単かつ迅速にし、生産効率を高めることができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１  中空ハウジング
１１  挿入接続部
１２  定位部
１３  固定点
２  絶縁台体
２１  定位ブロック
２２  定位凹部
３  回路基板
３１  接点
４  後挿入部品
４１  端部
４２  固定部
４３  固定点
５  導電端子
５１  結合部
【図１】
0003186107.tif 000003
【図２】
0003186107.tif 000004
【図３】
0003186107.tif 000005
【図４】
0003186107.tif 000006